(57)【要約】【課題】  排水用ストレーナーアセンブリの取付に関連する構成部品の数を低減する。【解決手段】  排水用ストレーナーの取付およびメンテナンスのための装置および方法が開示される。一実施例では、排水用ストレーナーアセンブリ１３０は内部チャンバを有するハウジング１３２を含み、内部チャンバへ繋がる開口部を規定する。入口ポートおよび出口ポートがハウジング１３２に配置され、前記開口部が前記支持壁１２０に少なくともほぼ平行になるように、少なくとも１つの結合装置が前記ハウジング１３２を前記支持壁１２０に結合する。このアセンブリは、内部チャンバ内に少なくとも部分的に入口ポートと出口ポートとの間に位置付けられるストレーナー部材１４０、および開口部を覆うドア部材をさらに含む。【選択図】        図３
2004323011.tif 000002
【特許請求の範囲】
【請求項１】
排水用ストレーナーアセンブリであって、
内部チャンバを有しかつ前記内部チャンバに繋がる開口部を規定するハウジングを含み、前記ハウジングは、前記ハウジングに配置され流体が流動可能なように前記内部チャンバに連通する入口ポートおよび出口ポートを有し、前記ハウジングは、前記開口部が前記支持壁に少なくともほぼ平行になるように前記ハウジングを支持壁に結合するように適合される少なくとも１つの結合装置を有し、前記排水用ストレーナーアセンブリはさらに、
前記開口部を通って挿入されかつ前記内部チャンバ内に少なくとも部分的に前記入口ポートと出口ポートとの間に位置付けられるように適合されるストレーナー部材と、
前記開口部を覆うドア部材とを含む、排水用ストレーナーアセンブリ。
【請求項２】
前記ハウジングは箱状の受け部を含み、前記開口部は前記箱状の受け部の開口面を含む、請求項１に記載の排水用ストレーナーアセンブリ。
【請求項３】
前記少なくとも１つの結合装置は、孔が配置されているフランジを含む、請求項１に記載の排水用ストレーナーアセンブリ。
【請求項４】
前記少なくとも１つの結合装置は複数のフランジを含み、各フランジは孔が配置されかつ前記支持壁に配置されるねじ付き開口部に整列するように適合される、請求項１に記載の排水用ストレーナーアセンブリ。
【請求項５】
前記入口ポートは流入管路に結合されるように適合され、出口ポートは流出管路に結合されるように適合される、請求項１に記載の排水用ストレーナーアセンブリ。
【請求項６】
前記ドア部材は前記ストレーナー部材に結合される、請求項１に記載の排水用ストレーナーアセンブリ。
【請求項７】
前記ドア部材は前記ハウジングに蝶番式に結合される、請求項１に記載の排水用ストレーナーアセンブリ。
【請求項８】
前記ハウジングと前記ドア部材との間に前記開口部のまわりに配置されるシール部材をさらに含む、請求項１に記載の排水用ストレーナーアセンブリ。
【請求項９】
調理室アセンブリであって、
アクセスアパーチャが配置されている支持壁を含む支持構造と、
前記支持構造に結合されるごみ止めと、
排水用ストレーナーアセンブリとを含み、前記排水用ストレーナーアセンブリは、
内部チャンバを有しかつ前記内部チャンバに繋がる開口部を規定するハウジングを含み、前記ハウジングは、前記ハウジングに配置され流体が流動可能なように前記内部チャンバと連通する入口ポートおよび出口ポートを有し、前記入口ポートは流体が流動可能なように前記ごみ止めに結合され、前記ハウジングは、前記開口部が前記支持壁に少なくともほぼ平行になりかつ前記アクセスアパーチャに整列するように支持壁に結合される少なくとも１つの結合装置をさらに有し、前記排水用ストレーナーアセンブリはさらに、
前記開口部を通って挿入されかつ前記内部チャンバ内に少なくとも部分的に前記入口ポートと出口ポートとの間に位置付けられるように適合されるストレーナー部材と、
前記開口部を覆うアクセスパネルとを含む、調理室アセンブリ。
【請求項１０】
前記ハウジングは箱状の受け部を含み、前記開口部は前記箱状受け部の開口面を含む、請求項９に記載の調理室アセンブリ。
【請求項１１】
前記少なくとも１つの結合装置は孔が配置されているフランジを含む、請求項９に記載の調理室アセンブリ。
【請求項１２】
前記少なくとも１つの結合装置は複数のフランジを含み、各フランジは孔が配置されかつ前記支持壁に配置されるねじ付きアパーチャに整列するように適合される、請求項９に記載の調理室アセンブリ。
【請求項１３】
前記アクセスパネルは前記ストレーナー部材に結合される、請求項９に記載の調理室アセンブリ。
【請求項１４】
前記アクセスパネルは前記ハウジングに蝶番式に結合される、請求項９に記載の調理室アセンブリ。
【請求項１５】
前記アクセスパネルは前記支持壁に蝶番式に結合される、請求項９に記載の調理室アセンブリ。
【請求項１６】
前記ハウジングと前記アクセスパネルとの間に前記開口部のまわりに配置されるシール部材をさらに含む、請求項９に記載の調理室アセンブリ。
【請求項１７】
航空機であって、
機体と、
動作するように前記機体に結合される推進システムと、
動作するように前記推進システムに結合される制御システムと、
前記機体に結合される調理室アセンブリとを含み、前記調理室アセンブリは、
アクセスアパーチャが配置されている支持壁を含む支持構造と、
前記支持構造に結合されるごみ止めと、
排水用ストレーナーアセンブリとを含み、前記排水用ストレーナーアセンブリは、
内部チャンバを有しかつ前記内部チャンバに繋がる開口部を規定するハウジングを含み、前記ハウジングは、前記ハウジングに配置され流体が流動可能なように前記内部チャンバと連通する入口ポートおよび出口ポートを有し、前記入口ポートは流体が流動可能なように前記ごみ止めに結合され、前記ハウジングは、前記開口部が前記支持壁に少なくともほぼ平行になりかつ少なくとも部分的に前記アクセスアパーチャに整列するように前記支持壁に結合される少なくとも１つの結合装置をさらに有し、前記排水用ストレーナーアセンブリはさらに、
前記開口部を通って挿入されかつ前記内部チャンバ内に少なくとも部分的に前記入口ポートと出口ポートとの間に位置付けられるように適合されるストレーナー部材と、
前記開口部を覆うアクセスパネルとを含む、航空機。
【請求項１８】
前記ハウジングは箱状の受け部を含み、前記開口部は前記箱状の受け部の開口面を含む、請求項１７に記載の航空機。
【請求項１９】
前記少なくとも１つの結合装置は孔が配置されているフランジを含む、請求項１７に記載の航空機。
【請求項２０】
前記少なくとも１つの結合装置は複数のフランジを含み、各フランジは孔が配置されかつ前記支持壁に配置されるねじ付きアパーチャに整列するように適合される、請求項１７に記載の航空機。
【請求項２１】
前記アクセスパネルは前記ストレーナー部材に結合される、請求項１７に記載の航空機
。
【請求項２２】
前記アクセスパネルは前記ハウジングに蝶番式に結合される、請求項１７に記載の航空機。
【請求項２３】
前記アクセスパネルは前記支持壁に蝶番式に結合される、請求項１７に記載の航空機。
【請求項２４】
前記ハウジングと前記アクセスパネルとの間に前記開口部のまわりに配置されるシール部材をさらに含む、請求項１７に記載の航空機。
【請求項２５】
調理室アセンブリを設ける方法であって、
アクセスアパーチャが配置されている支持壁を含む支持構造を設けるステップと、
ごみ止めを前記支持構造に結合するステップと、
内部チャンバおよび前記内部チャンバに繋がる開口部を有するハウジングを設けるステップと、
前記開口部が前記支持壁に少なくともほぼ平行になりかつ少なくとも部分的に前記アクセスアパーチャに整列するように前記ハウジングを前記支持壁に結合するステップと、
流体が流動可能なように前記ハウジングを前記ごみ止めに結合するステップと、
前記開口部を通ってストレーナー部材を前記内部チャンバへと挿入するステップと、
前記開口部をアクセスパネルで覆うステップとを含む、調理室アセンブリを設ける方法。
【請求項２６】
前記ハウジングを設けるステップにおいて、流体が流動可能なように前記内部チャンバと連通して入口ポートおよび出口ポートを配置し、流体が流動可能なように前記ハウジングを前記ごみ止めに結合するステップは、流体が流動可能なように前記入口ポートを前記ごみ止めに結合するステップを含む、請求項２５に記載の調理室アセンブリを設ける方法。
【請求項２７】
ハウジングを設けるステップは、箱状の受け部を設けるステップを含み、前記ハウジングの前記開口部は前記箱状の受け部の開口面である、請求項２５に記載の調理室アセンブリを設ける方法。
【請求項２８】
前記ハウジングを前記支持壁に結合するステップは、孔が配置されている前記ハウジングのフランジ部分にねじ付き止め具を通して、前記ねじ付き止め具を前記支持壁のねじ付き孔に螺合するステップを含む、請求項２５に記載の調理室アセンブリを設ける方法。
【請求項２９】
前記開口部をアクセスパネルで覆うステップは、前記ストレーナー部材を挿入するステップと同時に行なわれる、請求項２５に記載の調理室アセンブリを設ける方法。
【請求項３０】
前記開口部をアクセスパネルで覆うステップは、前記アクセスパネルを蝶番式に閉じるステップを含む、請求項２５に記載の調理室アセンブリを設ける方法。
【請求項３１】
ストレーナー部材を排水用ストレーナーアセンブリへと取付ける方法であって、
支持壁に配置されるアクセスアパーチャを覆うアクセスパネルを前記支持壁の内側から開けるステップと、
ハウジングに配置される開口部を直接通って前記支持壁の前記内側からストレーナー部材を前記ハウジングの内部チャンバへと挿入するステップとを含み、前記開口部は前記支持壁の前記アクセスアパーチャに実質的に平行でありかつ実質的に整列し、前記方法はさらに、
前記アクセスパネルを前記アクセスアパーチャ上に閉じるステップを含む、ストレーナ
ー部材を排水用ストレーナーアセンブリへと取付ける方法。
【請求項３２】
前記アクセスアパーチャを覆う前記アクセスパネルを開けるステップは、前記アクセスパネルを蝶番式に作動するステップを含む、請求項３１に記載のストレーナー部材を排水用ストレーナーアセンブリへと取付ける方法。
【請求項３３】
前記アクセスパネルを前記アクセスアパーチャ上に閉じるステップは、ストレーナー部材を挿入するステップと同時に行なわれる、請求項３１に記載のストレーナー部材を排水用ストレーナーアセンブリへと取付ける方法。
【請求項３４】
前記開口部を通って前記ハウジングから直接以前に取付けられたストレーナー部材を前記支持壁の内側へと取外すステップをさらに含む、請求項３１に記載のストレーナー部材を排水用ストレーナーアセンブリへと取付ける方法。
【請求項３５】
排水用ストレーナーアセンブリをメンテナンスする方法であって、
支持壁に配置されるアクセスアパーチャを覆うアクセスパネルを前記支持壁の内側から開けるステップと、
前記ハウジングに配置される開口部を通ってハウジングから直接ストレーナー部材を前記支持壁の内側へと取外すステップとを含み、前記開口部は前記支持壁のアクセスアパーチャに実質的に平行でありかつ実質的に整列し、前記方法はさらに、
前記アクセスパネルを前記アクセスアパーチャ上に閉じるステップを含む、排水用ストレーナーアセンブリをメンテナンスする方法。
【請求項３６】
前記開口部を直接通って前記支持壁の前記内側から新しいストレーナー部材を前記ハウジングへと挿入するステップをさらに含む、請求項３５に記載の排水用ストレーナーアセンブリをメンテナンスする方法。
【請求項３７】
前記アクセスパネルを前記アクセスアパーチャ上に閉じるステップは、新しいストレーナー部材部材を挿入するステップと同時に行なわれる、請求項３６に記載の排水用ストレーナーアセンブリをメンテナンスする方法。
【請求項３８】
前記アクセスアパーチャを覆う前記アクセスパネルを開けるステップは、前記アクセスパネルを蝶番式に作動するステップを含む、請求項３５に記載の排水用ストレーナーアセンブリをメンテナンスする方法。
【発明の詳細な説明】
【技術分野】
【０００１】
発明の分野
この開示は一般に排水用ストレーナーアセンブリに関し、特に、たとえば商用の航空機、列車、船およびその他の用途で使用される種類の排水用ストレーナーアセンブリに関する。
【背景技術】
【０００２】
発明の背景
排水用ストレーナーは、食べ物および飲み物が提供される環境ならほとんどどこでも見られる。たとえば、航空機、列車および船などの多くの乗り物は、乗客に提供するために食べ物および飲み物を備えている。そのようなサービスを容易にするため、乗り物には、食べ物および飲み物を扱うための調理室が備えられることがある。調理室には、排水を処理しやすくするためにごみ止めが備えられ得る。そのような食べ物および飲み物を提供する動作において重要なのは、ごみ止めに関連する給排水設備が連続して動作しかつ問題なくメンテナンスされることである。したがって、給排水設備には、排水からくずおよび微粒子をこし取る取外し可能な排水用ストレーナーが備えられ、詰まりおよびその他の関連する給排水設備の問題を防止している。
【０００３】
図１は、先行技術による調理室アセンブリ１０の等角図である。調理室アセンブリ１０は、ごみ止め（またはシンク）１６が配置されているカウンタ面１４を備えた支持構造１２を含む。ごみ止め１６は、支持構造１２の支持壁２０を通る第１の管路１８に結合される。排水用ストレーナーアセンブリ３０は支持壁２０に装着され、流体が流動可能なように第１の管路１８に結合される。第２の管路２２は流体が流動可能なように排水用ストレーナーアセンブリ３０に結合され、排水用ストレーナーアセンブリ３０から、たとえば、保持タンク（図示せず）へと繋がる。
【０００４】
図２は、図１の排水用ストレーナーアセンブリ３０の拡大上面図である。図１および図２に示されるように、排水用ストレーナーアセンブリ３０は、複数のねじ付き止め具３４によって支持壁２０に結合されるハウジング３２を含む。各ねじ付き止め具３４は、ハウジング３２のフランジ部分３６を通り、支持壁２０に配置されるねじ付き挿入ナット（または、ねじ付き孔）３８とねじ式に係合（螺合）する。これによって、ハウジング３２が支持壁２０に固定される。ストレーナー部材（またはバスケット）４０は取外し可能にハウジング３２に挿入される。開口部４２が支持壁２０に配置され、アクセスパネル４４を取外すことで排水用ストレーナーアセンブリ３０へのアクセスが可能になる。図２に示されるように、アクセスパネル４４は、支持壁２０内にある挿入ナット４７に係合するねじ４５によって支持壁２０に装着される。
【０００５】
動作において、ごみ止め１６に廃棄された排水は第１の管路１８を通って流れ、排水用ストレーナーアセンブリ３０のストレーナー部材４０を通り、ストレーナー部材４０は排水から比較的大きなくずおよび粒状物質を捕捉する。結果として生じるこし取られた流体は、排水用ストレーナーアセンブリ３０から出て第２の管路２２を通る。図１および図２に示される排水用ストレーナーアセンブリ３０は広く知られ、市販されており、たとえば、ワシントン州レントンのModern Manufacturing Inc.から市販されている部品番号ＭＯＤ５０３３８として設計される排水用ストレーナーアセンブリがある。排水用ストレーナーアセンブリ３０の掃除およびメンテナンスのため、ストレーナー部材４０は、矢印４６
で示される横方向に引き、次に開口部４２を通って引出すことで、ハウジング３２から引出すことができる。取外し動作中にストレーナー部材４０から落ちる可能性のある排水またはくずを捕捉するため、滴受け４８が開口部４２の下方で支持壁２０に取付けられている。
【発明の開示】
【発明が解決しようとする課題】
【０００６】
先行技術の調理室アセンブリ１０を使用して所望の結果が達成されている。しかしながら、改良が可能である。たとえば、先行技術の調理室アセンブリ１０での排水用ストレーナーアセンブリ３０の取付けは、排水用ストレーナーアセンブリ３０、ねじ付き止め具３４、挿入ナット３８、滴受け４８およびその関連する止め具ならびに挿入ナット、およびアクセスパネル４４ならびにその関連するねじ４５および挿入ナット４７を含む、多くの構成部品を伴う。さらに、滴受け４８はその中に捕捉された排水を除去しやすくするためにさらに別の構成部品に結合されることがある。したがって、排水用ストレーナーアセンブリ３０の取付に関連する構成部品の数を減らすことが好ましい。
【０００７】
さらに、排水用ストレーナーアセンブリ３０の掃除およびメンテナンスには、アクセスパネル４４の取外し、およびストレーナー部材４０を横方向４６にハウジング３２から引出すことが必要であるため、排水用ストレーナーアセンブリ３０の掃除およびメンテナンスに関連する手順を簡略化することが望ましい。
【課題を解決するための手段】
【０００８】
発明の概要
この発明は、排水用ストレーナーアセンブリ、および排水用ストレーナーアセンブリを取付およびメンテナンスするための装置および方法に向けられる。この発明による装置および方法は、必要とされる構成部品の数の低減、日常的なメンテナンス動作の効率の向上および乗り物内の空間の利用の改善を含め、先行技術からの大きな改良点を提供し、有利であり得る。
【０００９】
一実施例では、この発明による排水用ストレーナーアセンブリは、内部チャンバを有するハウジング、内部チャンバに繋がる開口部、ハウジングに配置され流体が流動可能なように内部チャンバと連通する入口ポートおよび出口ポートを含む。ハウジングは、開口部が少なくともほぼ支持壁に平行になるようにハウジングを支持壁に結合するように適合される少なくとも１つの結合装置をさらに含む。このアセンブリは、開口部を通じて挿入されかつ内部チャンバ内に少なくとも部分的に入口ポートと出口ポートとの間に位置付けられるように適合されるストレーナー部材、および開口部を覆うドア部材をさらに含む。
【００１０】
この発明の好ましい実施例および代替の実施例を図面を参照して詳細に説明する。
【発明を実施するための最良の形態】
【００１１】
発明の詳細な説明
この発明は、排水用ストレーナーアセンブリ、および排水用ストレーナーアセンブリを取付およびメンテナンスするための装置および方法に関する。この発明のある実施例の多くの具体的な詳細を以下の説明および図３〜図１０で説明し、そのような実施例を完全に理解できるようにする。しかしながら、当業者には、この発明には別の実施例があり得ること、およびこの発明は以下の説明に説明される詳細点のいくつかがなくても実現可能であることが理解されるであろう。
【００１２】
図３は、この発明のある実施例による調理室アセンブリ１００の等角図である。図４は、図３の調理室アセンブリ１００の排水用ストレーナーアセンブリ１３０の拡大上面図で
ある。以下にさらに詳しく説明するように、排水用ストレーナーアセンブリ１３０は、先行技術と比較して関連する構成部品が少なくなりかつ排水用ストレーナーアセンブリ１３０のメンテナンス性が大きく向上するように調理室アセンブリ１００に取付けられる。
【００１３】
図３を参照すると、調理室アセンブリ１００は、カウンタ面１１４を有する支持構造１１２を含む。ごみ止め１１６はカウンタ面１１４に配置され、流体が流動可能なように支持構造１１２の支持壁１２０を通る第１の管路１１８に結合される。排水用ストレーナーアセンブリ１３０は支持壁１２０に装着される。排水用ストレーナーアセンブリ１３０は、流体が流動可能なように第１の管路１１８、および排水用ストレーナーアセンブリ１３０から延びていく第２の管路１２２に結合される。
【００１４】
図４に最もよく示されるように、排水用ストレーナーアセンブリ１３０は、ハウジング１３２の内部１３５に繋がる開口部（または、開口面）１３３を有する箱状のハウジング１３２を含む。ハウジング１３２は、開口部１３３が、支持壁１２０に配置されるアクセスアパーチャ１４２に実質的に面するように位置付けられる。図４に示される実施例では、ハウジング１３２は、開口部１３３の周辺に分散される複数のフランジ部分１３６を含む。複数のねじ付き止め具１３４はフランジ部分１３０を通り、対応するねじ付き挿入ナット（または、ねじ付き孔）１３８にねじ式に係合（螺合）する。したがって、ハウジング１３２は支持壁１２０に装着され、開口部１３３は支持壁１２０のアクセスアパーチャ１４２に実質的に面しかつ実質的に整列している。
【００１５】
図３および図４に示されるように、ストレーナー部材１４０は、開口部１３３を通ってハウジング１３２の内部１３５へと取外し可能に挿入される。ストレーナー部材１４０は、ハウジング１３２の内部１３５へ受入れられる多孔部材１４１、および開口部１３３を実質的に包囲しかつ開口部１３３に封止可能に係合するドア部材１４３を含む。ストレーナー部材１４０は、ハウジング１３２内でストレーナー部材１４０を固定するように作動させることのできるロック機構１４５をさらに含む。
【００１６】
動作において、排水用ストレーナーアセンブリ１３０は、アクセスアパーチャ１４２を通って矢印１４６で示される方向にストレーナー部材１４０を支持壁１２０の内側１４７へと直接引出してアクセスし、掃除または日常的なメンテナンスを行なうことができる。結果として、取外し動作中にストレーナー部材１４０から滴るかまたは落ちる可能性のある排水またはくずは、支持壁１２０の内側に滴るかまたは落ちるため、容易に掃除して集め、処理することができる。
【００１７】
調理室アセンブリ１００は先行技術を大きく上回る利点を提供し得る。たとえば、排水用ストレーナーアセンブリ１３０の取付に伴う構成部品の数は、上述の先行技術の調理室アセンブリ１０と比較して低減することができる。ハウジング１３２は支持壁１２０に装着され、開口部１３３はアクセスアパーチャ１４２に実質的に面しかつ実質的に整列しているため、ストレーナー部材１４０は、支持壁１２０の内側から直接アクセス可能である。したがって、アクセスパネル４４およびその関連するねじ４５ならびに挿入ナット４７は排除され、取付に伴う構成部品の数が低減される。さらに、滴バスケット４８またはその関連する排水用構成部品は必要なく、これによって、取付に伴う構成部品の数がさらに低減される。
【００１８】
さらに、調理室アセンブリ１００は、排水用ストレーナーアセンブリ１３０に伴う日常的なメンテナンス動作の効率を向上することができる。ストレーナー部材１４０は支持壁１２０の内側１４７へと直接引出すことができるため、掃除またはその他の日常的なメンテナンスのために、別個のアクセスパネル４４を取外し、比較的小さなアクセス開口部１４２を通ってストレーナー部材１４０を取外し、引出すためのメンテナンス要員は必要な
い。この利点によって、排水用ストレーナーアセンブリ１３０のメンテナンスが簡略化され、これら動作に関連する労力および費用が低減される。さらに、ストレーナー部材１４０は支持壁１２０の内側１４７へ引出されるため、引出し中に多孔部材１４１から起る排水またはくずの滴りもしくは流出は、支持と壁１２０の内側１４７で起り、容易にアクセスして掃除することができる。このさらなる利点によって、排水用ストレーナーアセンブリ１３０のメンテナンスに関連する労力および費用をさらに低減することができる。
【００１９】
調理室アセンブリ１００のさらに別の利点は、乗り物内の空間をより効率的に利用できる点である。ストレーナー部材１４０は矢印１４６で示される方向に支持壁１２０の内側１４７へ直接引出すことができるため、先行技術のアセンブリ（図１）に必要とされるように支持壁１２０に比較的大きなアクセスパネル４４を備える必要はない。さらに、支持壁１２０を通って内側１４７へ引出す前に、横方向４６（図１）にハウジング１３２からストレーナー部材１４０を引出すのを可能にするために支持壁１２０の後ろに空間を設ける必要もない。このようにして、調理室アセンブリ１００は、先行技術のアセンブリと比較して、支持壁１２０上およびその後ろの空間をより有効に利用することができる。
【００２０】
この発明によるさまざまな代替の実施例が考えられる。この発明による装置および方法は、上述および図３および図４に示される特定の実施例に限定されない。以下の説明では、代替の実施例を説明する。しかしながら、簡略化のため、これら代替の実施例の構造および動作における大きな違いのみを詳細に説明する。
【００２１】
排水用ストレーナーアセンブリは、さまざまな方法で支持壁１２０に取付けられることが理解されるであろう。たとえば、図５は、この発明の代替の実施例による排水用ストレーナーアセンブリ２３０の拡大側面図である。排水用ストレーナーアセンブリ２３０は、取付フランジ２３６を有するハウジング２３２、上方に突出して第１の管路１１８（図３）と係合する入口パイプ２５２、下方に突出して第２の管路１２２（図３）と係合する出口パイプ２５４を含む。この実施例では、しかしながら、取付フランジ２３６は、支持壁１２０の内側１４７で支持壁１２０に係合する。取付孔２３７が各取付フランジ２３６に配置され、止め具２３４が取付フランジ２３６を支持壁１２０に固定するように各取付孔２３７を通って係合される。ロック部材２５０は、ドア部材２４３をハウジング２３２に固定する。したがって、図５に示されるように、ハウジング２３２の開口部２３３、ロック部材２５０およびストレーナー部材２４０のドア部材２４３は、内側１４７から容易にアクセス可能である。
【００２２】
図５に示される排水用ストレーナーアセンブリ２３０は、上述の利点をすべて提供可能であり、さらに排水用ストレーナーアセンブリの取付およびメンテナンスの効率を向上する。排水用ストレーナーアセンブリ２３０は支持壁１２０の内側１４７に装着されるため、排水用ストレーナーアセンブリ２３０は先行技術の装置よりも、取付または取外しもしくは交換が容易である。さらに、ロック部材２５０、ストレーナー部材２４０のドア部材２４３およびハウジング２３２の開口部２３３は、内側１４７から容易にアクセス可能であるため、このさらなる特徴によって装置のアクセス性が向上し、先行技術より排水用ストレーナーアセンブリ２３０が簡略化され、そのメンテナンス性が向上する。
【００２３】
図６は、この発明の別の実施例による排水用ストレーナーアセンブリ３３０を有する調理室アセンブリ３００の等角図である。図７は、図６の排水用ストレーナーアセンブリ３３０の拡大上面図である。この実施例では、ハウジング３３２は、ハウジング３３２のフランジ部材３３６を通って係合される１つまたは複数の止め具３３４によって支持壁３２０に結合される。ドア部材３４３は蝶番３６０によってハウジング３３２に装着される。ドア部材３４３は、ハウジング３３２の内部チャンバ３３５に繋がる開口部３３３を実質的に覆う。
【００２４】
図７に最もよく示されるように、動作において、ストレーナー部材３４０は、支持壁３２０の内側１４７から、支持壁３２０のアクセスアパーチャ３４２を通って、開口部３３３を通り、ハウジング３３２の内部チャンバ３３５へと挿入することができる。ドア部材３４３は開口部３３３上で蝶番式に閉じ、ロック装置３５０で定位置に固定してもよい。
【００２５】
調理室アセンブリ３００は、上述の利点を提供し、排水用ストレーナーアセンブリ３３０のメンテナンスに関連する費用を改善する。ドア部材３４３はハウジング２３２に装着され、ストレーナー部材３４０から分離されるため、ストレーナー部材３４０は安く製造可能であり、この構成部品の交換費用が低減される。ドア部材３４３の支持壁３２０への蝶番式の装着も、ストレーナー部材３４０のアクセス性を向上し、先行技術よりも排水用ストレーナーアセンブリ３３０を簡略化し、そのメンテナンス性を向上する。
【００２６】
図８は、この発明のさらに別の実施例による排水用ストレーナーアセンブリ４３０の拡大側面図である。排水用ストレーナーアセンブリ４３０はハウジング４３２を含み、これはハウジング４３２を支持壁４２０に固定するための結合アセンブリ４３６を含む。入口ポート４５２（第１の管路４１８に結合可能）および出口ポート４５４（第２の管路４２２に結合可能）がハウジング４３２に配置され、流体が流動可能なようにハウジング４３２の内部チャンバ４３５と連通する。図８に示される実施例では、ハウジング４３２は、蝶番４６０によってハウジング４３２に旋回可能に結合されるドア部材４４３を含む。第１の（閉じられた）位置４６２では、ドア部材４４３は、ハウジング４３２の内部チャンバ４３５に繋がる開口部４３３を封止するように閉じる。第２の（開いた）位置４６４では、ドア部材４４３は開口部４３３から離れるように動かされ、内部チャンバ４３５への（または、そこからの）多孔部材４４０の挿入（または、取外し）が可能となる。
【００２７】
図８にさらに示されるように、ドア部材４４３はスペーサ部分４６６を含む。閉じられた位置４６２では、スペーサ部分４６６は少なくとも部分的に内部チャンバ４３５内に位置付けられ、多孔部材４４０に押し当てられて係合し、ハウジング４３２の入口ポート４５２および出口ポート４５４の間の定位置に多孔部材４４０を固定する。
【００２８】
上述の利点に加え、この発明の排水用ストレーナーアセンブリ４３０は、多孔部材４４０のアクセス性を向上できるため、排水用ストレーナーアセンブリ４３０に伴うメンテナンス動作に関連する労力および費用を低減することができる。さらに、ドア部材４４３および蝶番４６０は支持壁４２０ではなくハウジング４３２に装着されるため、これら構成部品の修理および交換が簡略化され、先行技術のアセンブリと比較して、相応に費用が低減される。
【００２９】
図９は、この発明のさらに別の実施例による排水用ストレーナーアセンブリ５３０の拡大上面断面図である。この実施例では、排水用ストレーナーアセンブリ５３０は、内部チャンバ５３５を囲むほぼ円筒形のハウジング５３２を含む。ハウジング５３２は、装着アセンブリ５３６によって支持壁５２０に装着され、蝶番５６０によってハウジング５３２の別の部分に結合されるドアパネル５４３を含む。蝶番５６０およびドアパネル５４３は、支持壁５２０に配置されるアクセスアパーチャ５４２を通じてアクセス可能である。シール部材５６８がハウジング５３２の開口部５３３のまわりに配置される。図９に示されるように、閉じられた位置５６２では、ドアパネル５４３はシール部材５６８に押し当てられて係合して、内部チャンバ５３５内から排水が漏れるのを防止する。
【００３０】
図９に示される排水用ストレーナーアセンブリ５３０は、必要とされる構成部品数の低減、日常的なメンテナンス動作の効率の向上、乗り物内の空間の利用の改善を含め、先行技術を大きく上回る改良点を提供し有利なこの発明の排水用ストレーナーアセンブリのさ
らに別の例を提供する。
【００３１】
図１０は、この発明による排水用ストレーナーアセンブリ６３０（図示せず）を有する１つまたは複数の調理室アセンブリ６０２を含む航空機６００の側面図である。一般に、この発明による排水用ストレーナーアセンブリ６３０（図示せず）を有する調理室アセンブリ６０２以外は、航空機６００の構成部品はすべて一般に知られた構成物であり、簡略化のため詳細には説明しない。航空機６００は、たとえば、１つまたは複数の推進ユニット６０４、翼アセンブリ６０６（または、その他の揚力面）、尾翼アセンブリ６０８、着陸アセンブリ６１０、制御システム６１２（図示せず）および航空機６００の適切な動作を可能にするその他のシステムおよびサブシステムのホストを含む。図１０に示される航空機６００は、たとえば、ザ・ボーイング・カンパニーから入手可能な７３７、７４７、７５７、７６７、および７７７モデルを含む商用の旅客機を一般に表わす。ここに開示されるこの発明の装置および方法は、しかしながら、たとえば、Book Sales Publishers出版のEnzo AngelucciによるThe Illustrated Encyclopedia of Military Aircraft、２００１年９月に説明されるものを含む、回転翼航空機（rotary aircraft）または有人軍用機などのその他の種類の航空機でも用いることができる。
【００３２】
上述のように、この発明のある実施例を図示し、説明してきたが、この発明の精神および範囲を離れることなく多くの変更が可能である。したがって、この発明の範囲は例示的な実施例の開示によって限定されない。そうではなく、この発明は全体として請求項を参照することによって判定されるべきである。
【図面の簡単な説明】
【００３３】
【図１】先行技術による調理室アセンブリの等角図である。
【図２】図１の調理室アセンブリの排水用ストレーナーアセンブリの拡大上面図である。
【図３】この発明のある実施例による調理室アセンブリの等角図である。
【図４】図３の調理室アセンブリの排水用ストレーナーアセンブリの拡大上面図である。
【図５】この発明の代替の実施例による排水用ストレーナーアセンブリの拡大側面図である。
【図６】この発明の別の実施例による調理室アセンブリの等角図である。
【図７】図６の調理室アセンブリの排水用ストレーナーアセンブリの拡大上面図である。
【図８】この発明のさらに別の実施例による排水用ストレーナーアセンブリの拡大側面図である。
【図９】この発明のさらに別の実施例による排水用ストレーナーアセンブリの拡大上面断面図である。
【図１０】この発明の別の実施例による排水用ストレーナーが取付けられた航空機の側面図である。
【符号の説明】
【００３４】
１００  調理室アセンブリ、１２０  支持壁、１３０  排水用ストレーナーアセンブリ、１３２  ハウジング、１４０  ストレーナー部材、１４３  ドア部材。
【図１】
2004323011.tif 000003
【図２】
2004323011.tif 000004
【図３】
2004323011.tif 000005
【図４】
2004323011.tif 000006
【図５】
2004323011.tif 000007
【図６】
2004323011.tif 000008
【図７】
2004323011.tif 000009
【図８】
2004323011.tif 000010
【図９】
2004323011.tif 000011
【図１０】
2004323011.tif 000012